(57)【要約】【課題】  液を併用する超音波皮膚洗浄美容機において、液を併用することによる種々の美容効果をより確実に得ること。【解決手段】  液を併用する超音波皮膚洗浄美容機１０において、振動部材６０は、その内部に、水や美容液などの液を収容可能であって、皮膚に密着させた際には、当該液をその内部に保持可能な有底筒状に形成され、その基端から先端にかけて連続的にその断面の面積が大きくなるように徐々に拡開して形成される。振動部材の開口部の外径の最大値は１０ｍｍ〜４０ｍｍである。【選択図】  図４
2016214424.tif 000002
【特許請求の範囲】
【請求項１】
超音波によって振動を発生させる超音波発生部と、該超音波発生部により発生された振動を皮膚に伝える振動部材とを備えた超音波皮膚洗浄美容機であって、
該振動部材は、その内部に、水や美容液などの液を収容可能であって、皮膚に密着させた際には、当該液をその内部に保持可能な有底筒状に形成された超音波皮膚洗浄美容機。
【請求項２】
前記振動部材は、先端の開口部が円形である請求項１に記載の超音波皮膚洗浄美容機。  
【請求項３】
前記振動部材は、先端の開口部が楕円形である請求項１に記載の超音波皮膚洗浄美容機。  
【請求項４】
前記振動部材は、先端の開口部が矩形である請求項１に記載の超音波皮膚洗浄美容機。
【請求項５】
前記振動部材は、先端の開口部が三角形である請求項１に記載の超音波皮膚洗浄美容機。
【請求項６】
前記振動部材は、先端の開口部が多角形である請求項１に記載の超音波皮膚洗浄美容機。
【請求項７】
前記振動部材は、その基端側端部よりも先端の開口部の面積が大きい請求項１から請求項６のいずれかに記載の超音波皮膚洗浄美容機。
【請求項８】
前記振動部材は、その先端の開口部よりも基端側端部の面積が大きい請求項１から請求項６のいずれかに記載の超音波皮膚洗浄美容機。
【請求項９】
前記振動部材は、基端側端部よりも先端の開口部の面積が大きく、基端側端部から徐々に拡径する拡径部と、拡径部から延設されて開口部に至る円筒部とをそなえた請求項７に記載の超音波皮膚洗浄美容機。
【請求項１０】
前記振動部材は、その基端から先端にかけて連続的にその断面の面積が大きくなるように徐々に拡開して形成された請求項７に記載の超音波皮膚洗浄美容機。
【請求項１１】
前記振動部材は、その先端から基端にかけて連続的にその断面の面積が大きくなるように徐々に拡開して形成された請求項８に記載の超音波皮膚洗浄美容機。
【請求項１２】
前記振動部材は、基端側端部の外形と先端の開口部の外形とが相似形であり、側面視において、基端側から先端側に向かって拡開するように、その外側面が、基端側の取付面に対して１０度から８７度の傾斜面とされている請求項１０に記載の超音波皮膚洗浄美容機。
【請求項１３】
前記角度が、５０度から６７度である請求項１０に記載の超音波皮膚洗浄美容機。
【請求項１４】
前記振動部材は、基端端部の外形と先端の開口部の外形とが相似形であり、側面視において、先端側から基端側に向かって拡開するように、その外側面が、基端側の取付面に対して５０度から８７度の傾斜面とされている請求項１１に記載の超音波皮膚洗浄美容機。
【請求項１５】
前記角度が、７０度から８７度である請求項１４に記載の超音波皮膚洗浄美容機。
【請求項１６】
前記筒状の振動部材の開口部の外径の最大値が、１０ｍｍ〜４０ｍｍである請求項１から請求項１５に記載の超音波皮膚洗浄美容機。
【請求項１７】
前記振動部材の内部に、水や美容液などの液を浸潤可能な液保持部材が取り付けられている請求項１から請求項１６のいずれかに記載の超音波皮膚洗浄美容機。
【請求項１８】
前記液保持部材は、繊維である請求項１７に記載の超音波皮膚洗浄美容機。
【請求項１９】
前記液保持部材は、スポンジや軽石などの多孔質材料である請求項１７に記載の超音波皮膚洗浄美容機。
【請求項２０】
前記振動部材の内面には、前記液保持部材を係止固定することが可能な係止突起が形成されている請求項１７から請求項１９のいずれかに記載の超音波皮膚洗浄美容機。
【請求項２１】
前記超音波発生部を、前記超音波皮膚洗浄美容機の本体に対して、揺動可能または傾動可能に固定する超音波発生部固定手段を備えた請求項１から請求項２０のいずれかに記載の超音波皮膚洗浄美容機。
【請求項２２】
前記超音波発生部固定手段は可撓性材料から構成されている請求項２１に記載の超音波皮膚洗浄美容機。
【発明の詳細な説明】
【技術分野】
【０００１】
本発明は、使用者の肌に密着させ、超音波により肌の汚れなどを除去する超音波皮膚洗浄美容機に関する。
【背景技術】
【０００２】
従来から、美容のために、超音波を利用して肌の汚れなどを除去する超音波皮膚洗浄美容機（以下「美容機」）が知られている。この種の美容機は、水や美容液などの液と併用して超音波を用いて皮膚の汚れを引きはがすものである。例えば特許文献１に記載されたものは、板状の振動板１１を備えるものであり、振動板１１の先端の作用部ＥＦの先端縁を皮膚に押し付けた状態で、振動板１１により皮膚の表面を掬うように使用することにより、超音波振動によって洗浄液などがミスト化され、毛穴ＰＲの汚れなどが瞬時に乳化され且つ洗浄されて、古い角質が容易に除去されるとするものである。また、特許文献２に記載されたものは、円筒状の突起３５ａを備えて、皮膚内の老廃物を皮膚の外に排出するようにしたものである。
【先行技術文献】
【特許文献】
【０００３】
【特許文献１】特許第３５４７４５６号公報  図１、図２及び図９等        （特許文献２）  特表２０１４−５２５３１４号公報  図１等
【発明の概要】
【発明が解決しようとする課題】
【０００４】
しかしながら、前述したような従来技術のうち、特許文献１に記載されたものでは、板状の振動板１１の先端縁付近のみが皮膚に接触されるだけであるので、超音波により伝えられる振動によって液が弾き飛ばされてしまい、液を併用した美容効果を十分に得ることができなくなってしまう。また、特許文献２に記載されたものでも、突起３５ａ内に十分に液を保持することができないので、やはり液を併用した場合の種々の美容効果を十分には得ることができない。
【０００５】
本発明の目的は、前述した従来技術の課題を解決しようとするものであり、液を併用する超音波皮膚洗浄美容機において、液を併用することによる種々の美容効果をより確実に得ることを目的とする。
【課題を解決するための手段】
【０００６】
上記目的を達成するものは、以下のものである。
（１）超音波によって振動を発生させる超音波発生部と、該超音波発生部により発生された振動を皮膚に伝える振動部材とを備えた超音波皮膚洗浄美容機であって、
該振動部材は、その内部に、水や美容液などの液を収容可能であって、皮膚に密着させた際には、当該液をその内部に保持可能な有底筒状に形成された超音波皮膚洗浄美容機。
（２）前記振動部材は、先端の開口部が円形である（１）に記載の超音波皮膚洗浄美容機。
（３）前記振動部材は、先端の開口部が楕円形である（１）に記載の超音波皮膚洗浄美容機。
（４）前記振動部材は、先端の開口部が矩形である（１）に記載の超音波皮膚洗浄美容機。
（５）前記振動部材は、先端の開口部が三角形である（１）に記載の超音波皮膚洗浄美容機。
（６）前記振動部材は、先端の開口部が多角形である（１）に記載の超音波皮膚洗浄美容機。
【０００７】
（７）前記振動部材は、その基端側端部よりも先端の開口部の面積が大きい（１）から（６）のいずれかに記載の超音波皮膚洗浄美容機。
（８）前記振動部材は、その先端の開口部よりも基端側端部の面積が大きい（１）から（６）のいずれかに記載の超音波皮膚洗浄美容機。
（９）前記振動部材は、基端側端部よりも先端の開口部の面積が大きく、基端側端部から徐々に拡径する拡径部と、拡径部から延設されて開口部に至る円筒部とをそなえた（７）に記載の超音波皮膚洗浄美容機。
【０００８】
（１０）前記振動部材は、その基端から先端にかけて連続的にその断面の面積が大きくなるように徐々に拡開して形成された（７）に記載の超音波皮膚洗浄美容機。
（１１）前記振動部材は、その先端から基端にかけて連続的にその断面の面積が大きくなるように徐々に拡開して形成された（８）に記載の超音波皮膚洗浄美容機。
【０００９】
（１２）前記振動部材は、基端側端部の外形と先端の開口部の外形とが相似形であり、側面視において、基端側から先端側に向かって拡開するように、その外側面が、基端側の取付面に対して１０度から８７度の傾斜面とされている（１０）に記載の超音波皮膚洗浄美容機。
（１３）前記角度が、５０度から６７度である（１０）に記載の超音波皮膚洗浄美容機。
【００１０】
（１４）前記振動部材は、基端端部の外形と先端の開口部の外形とが相似形であり、側面視において、先端側から基端側に向かって拡開するように、その外側面が、基端側の取付面に対して５０度から８７度の傾斜面とされている（１１）に記載の超音波皮膚洗浄美容機。
（１５）前記角度が、７０度から８７度である（１４）に記載の超音波皮膚洗浄美容機。
（１６）前記筒状の振動部材の開口部の外径の最大値が、１０ｍｍ〜４０ｍｍである（１）から（１５）に記載の超音波皮膚洗浄美容機。
【００１１】
（１７）前記振動部材の内部に、水や美容液などの液を浸潤可能な液保持部材が取り付けられている（１）から（１６）のいずれかに記載の超音波皮膚洗浄美容機。
（１８）前記液保持部材は、繊維である（１７）に記載の超音波皮膚洗浄美容機。
（１９）前記液保持部材は、スポンジや軽石などの多孔質材料である（１７）に記載の超音波皮膚洗浄美容機。
（２０）前記振動部材の内面には、前記液保持部材を係止固定することが可能な係止突起が形成されている（１７）から（１９）のいずれかに記載の超音波皮膚洗浄美容機。
【００１２】
（２１）前記超音波発生部を、前記超音波皮膚洗浄美容機の本体に対して、揺動可能または傾動可能に固定する超音波発生部固定手段を備えた（１）から（２０）のいずれかに記載の超音波皮膚洗浄美容機。
（２２）前記超音波発生部固定手段は可撓性材料から構成されている（２１）に記載の超音波皮膚洗浄美容機。
【発明の効果】
【００１３】
本発明の超音波皮膚洗浄美容機では、併用される水や美容液などの液を十分に保持して、皮膚に液を十分に供給しながら超音波による皮膚洗浄を行うことができるので、従来の超音波皮膚洗浄美容機と比較して、液を併用することによる美容効果をより確実にもたらすことができる。
【図面の簡単な説明】
【００１４】
【図１】図１は、本発明の実施の形態の美容機の正面図である。
【図２】図２は、図１に示した美容機の左側面図である。
【図３】図３は、図１に示した美容機の背面図である。
【図４】図４は、図１に示した美容機の正面側斜視図である。
【図５】図５は、図１のＡ−Ａ線断面図である。
【図６】図６は、図１に示した美容機の超音波ユニットの正面図である。
【図７】図７は、図６に示した超音波ユニットの平面図である。
【図８】図８は、図６に示した超音波ユニットの斜視図である。
【図９】図９は、図６のＢ―Ｂ線断面図である。
【図１０】図１０は、美容機の動作状態を示す超音波ユニットの概略縦断面図である。
【図１１】図１１は、本発明の別の実施の形態の超音波ユニットの斜視図である。
【図１２】図１２は、本発明のさらに別の実施の形態の超音波ユニットの斜視図である。図である。
【図１３】図１３は、本発明のさらに別の実施の形態の美容機の右側面図である。
【図１４】図１４は、本発明のさらに別の実施の形態の美容機の正面図である。
【図１５】図１５は、本発明のさらに別の実施の形態の美容機の右側面図である。
【図１６】図１６は、図１４及び図１５の美容器の超音波ユニットの断面図である。
【発明を実施するための形態】
【００１５】
以下、本発明の超音波皮膚洗浄美容機について、図面に示した実施の形態を用いて説明する。図１から図４に示すように、本発明の実施の形態の超音波皮膚洗浄美容機１０（以下「美容機１０」）は、円柱状のヘッド部４０と、このヘッド部４０よりも細い把持部２０を備えており、ヘッド部４０に設けられた筒状の振動部材６０を用いて、超音波により皮膚の汚れを除去するものである。
【００１６】
美容機１０には、その上方寄りに、前述したヘッド部４０が設けられ、一方、下方寄りには、美容機１０の使用の際に使用者が把持する部位である把持部２０が設けられている。ヘッド部４０は高さの低い円柱状に形成されている。把持部２０は、ヘッド部４０よりも左右の長さがやや短く、また奥行きの長さもやや短く設けられ、使用者が持ちやすい断面形状および外径とされている。また、把持部２０は、図２に示すように、ヘッド部４０に対して背面側に向けて斜めになるように連設されており、使用時には把持部２０に対して、ヘッド部４０の振動部材６０がやや正面側に突き出すようにして用いることができ、振動部材６０を皮膚に密着し易くするように設けられている。
【００１７】
図１に示されるように、把持部２０の正面視中央付近には、楕円形の電源ボタン１１が設けられており、その上方には、横長のモード操作部１２が設けられている。モード操作部には、後述する超音波振動子９０の出力レベルを３段階で変更操作するためのモードボタンと、この３段階の出力レベルを区別して表示する３つのＬＥＤが備えられている。また、図４に示されるように、把持部２０の下部には、ＡＣ電源コードを接続するための接続口１３が設けられている。
【００１８】
また、図３に示されるように、美容機１０の背面側には、ヘッド部４０の中心軸周りに円周上に配設された多数の放熱用の孔１４と、これらの孔１４の下方の把持部２０の上端部に配置された円形のねじ孔１５とが備えられている。
【００１９】
また、美容機１０内部には振動部材６０を含む超音波ユニット５０（超音波発生部）などの動作を制御するための電源基板、コンバータ、マイクロコンピュータ、ＬＥＤドライバー、パワーブースター等から構成される電子回路が内蔵されている。また本体（図示省略）と接続せずに使用できる充電タイプの美容機にあっては充電池が内蔵されており、ＡＣ電源から充電された美容機１０について、ＡＣアダプターを取り外し美容機１０単体で使用することが可能である。
【００２０】
次に、美容機１の要部について説明する。図５（全体断面図）に示されるように、超音波ユニット５０は、有底円筒状の振動部材６０と、振動部材６０の基端部において振動部材６０に連設される円盤状のハウジング７０と、ハウジング７０のさらに外側に連設されるドーナツ円盤形状の透明なプラスチック製のカバー７６とを備えている。また、ハウジング７０の裏面側外周縁付近の端面には、５つのねじ孔７１が穿設されている。
【００２１】
また、ハウジング７０の裏面には、超音波振動子９０が堅固に固定されている。ハウジング７０の外周面には、振動部材６０側の端部に、径方向外側に突出する係止部７４が周設された固定用スリーブ７３が取り付けられている。超音波振動子９０は、この固定用スリーブ７３の端部７５によりハウジング７０に係止固定されている。ハウジング７０の外側に装着されたカバー７６は、ヘッド部４０の開口部４２の開口端面と、ハウジング７０の外周面に取り付けられた固定用スリーブ７３の係止部７４とにより、固定用スリーブ７３の外側に係止固定されている。そして、ハウジング７０に取り付けられた固定用スリーブ７３とハウジング７０の基端側端面を覆うようにして、ヘッド部４０の開口部４２内への水分の浸入を防止するためのシリコン７２が取り付けられている。さらに、シリコン７２よりも背面側には、シリコン７２の基端面に当接されるとともにハウジング７０のねじ孔７１にねじ込まれるねじ１６によりハウジング７０に固定される基盤８０が装着されている。この基盤８０とハウジング７０により、シリコン７２及び固定用スリーブ７３は挟持固定される。また、基盤８０の外周付近の正面側端面には、カバー７６を透過して視認し得るＬＥＤ１７が取り付けられている。
【００２２】
ついで、図６から図９を参照して、振動部材６０およびハウジング７０の詳細について説明する。ハウジング７０は、底面側に凹部７７が形成された有底円筒状とされている。前述の超音波振動子９０は、この凹部７７内に堅固に固定されている。底面側のハウジング７０の端部には、５か所のねじ孔７１が形成されている。ハウジング７０の外径は４２ｍｍとされ、その高さは１１ｍｍとされている。また、凹部７７におけるハウジング７０の内径は３３ｍｍとされており、よってハウジング７０の側部は４．５ｍｍの厚みとされている。また凹部７７奥の底部７８は、７ｍｍの厚みとされている。
【００２３】
ハウジング７０の上面には、振動部材６０が一体に連設されている。振動部材６０は、前述の通り、底部６４を備え上方から見て真円状の有底円筒状に形成されている。振動部材６０の外径は、ハウジング７０よりも小径とされており、振動部材６０の先端の開口部６１の外径は３０ｍｍであり、基端寄りの端部付近の外径は２９ｍｍとされている。そして、振動部材６０の側部６２は０．５ｍｍの厚みとされている。また、後述するが、振動部材６０の先端部６５において効率的にキャビテーションを発生させるためには、側部６２の厚みは特に先端部６５において０．１ｍｍ〜１．０ｍｍとすることが好ましい。また、振動部材６０よりもハウジング７０の厚みが厚い方が振動部材７０への超音波の伝達効率が良い。また、その高さは１０ｍｍとされている。振動部材６０は強度及び肌等の施術箇所の金属アレルギー防止を考慮してステンレス製とされている。振動部材６０の開口部６１の外径は１０ｍｍ〜４０ｍｍ程度が望ましいが、鼻や鼻周辺などの狭い部位に施術をする際の利便性を向上させるためには外径の最大値が小さい方が望ましい。
【００２４】
また、振動部材６０の側部６２は、図６及び図９に示すように、先端の開口部６１方向に向かって拡がるように傾斜されている。本例では、基端側から先端の開口部６１方向に向けて拡がるように、ハウジング７０の上面に対して約８７度の角度に傾斜されている。
【００２５】
以上のように構成された美容機１０は、以下のように使用する。まず、振動部材６０の内部にコットン等の液保持部材を押し込んだ後に、美容液や専用の水等の液体を適量投下する。液保持部材は、液体を一定以上に保持することができる者であれば良く、繊維状のものやスポンジその他の多孔質材料でも良い。コットン等の液保持部材は、美容液等の液体を十分に保持しつつ、施術時には施術箇所に適量の液体を排出することも望まれるので、このような液体の保持性と排出性のバランスに優れたものを用いることが望ましい。また、振動部材６０の内側の空間と同形状に成形された液保持部材を用いることにより、施術時に、液保持部材が、振動部材６０内で偏ったり、振動部材６０から脱落し易い形状に変形してしまうことなどを防止することができる。次に、振動部材６０の開口部６１を頬等の施術箇所に密着させて、電源ボタン１１やモード操作部１２の操作により、振動部材６０に所望の超音波振動を加える。そして、振動部材６０に超音波振動を加えた状態で、施術箇所の表面をマッサージするように振動部材６０の開口部６１を移動させる。
【００２６】
この際に、図１０に示すように、振動部材６０においては以下のような美容効果を得ることができる。本例においては、振動部材６０に２５kHz〜１５０kHzの超音波振動を生じさせる。この超音波振動により内部の液体に圧縮力と膨張力が反復的に表れ、液体内の異物や気体分子を中心に気泡Ｘが発生し、これにより非常に大きな衝撃波を生ずる、いわゆる「キャビテーション」が発生する。一般的に、超音波の周波数が高くなれば、発生する気泡Ｘの大きさはより小さく・細かくなる。このようにして振動部材６０内部の液体に生ずるキャビテーションにより発生した強いマイクロバブルの破壊エネルギーを利用して、皮膚の毛穴の中の老廃物等を洗浄することができる。この際に、本美容機１０では、振動部材６０の開口部６１を施術箇所に密着したまま施術を続けることにより、振動部材６０の内部に液体を保持収容したままとすることができる。よって、十分な液体の量を保持しながら施術を行うことができるので、液体による美容効果を最大限に得ることができる。
【００２７】
また、皮膚などの施術箇所に直接的に接触する振動部材６０の先端部６５においては、先端部６５の超音波振動によるキャビテーションをよる美容効果を、直接的に施術箇所に及ぼすことができ、振動部材６０内の液体全体に生ずるキャビテーションによる美容効果に加えて、振動部材６０の先端部６５によりさらに重畳的な美容効果を期待し得る。
【００２８】
またさらに、振動部材６０の超音波振動により、一定の温熱効果を得られるため、液体及び施術箇所が温められることによるより一層の洗浄効果を得られる。本例の美容機１０においては、概ね３８℃〜４３℃程度に液体及び施術箇所を温めることができる。
【００２９】
また、超音波振動をしている振動部材６０の先端部６５が直接施術箇所に触れることにより、適度なマッサージ効果を与えることができる。この結果、毛穴の汚れのもみ出し効果を得ることができる。
【００３０】
ついで本発明の別の実施の形態について説明する。なお、以降において第一の実施の形態と共通する部位については、第一の実施の形態と同じ符号を図面中に付して、その説明を省略する。図１１に示される美容機の振動部材６０ａにおいては、振動部材６０ａの側部６２ａが、先端に向かうにしたがって拡がるように、ハウジング７０の上面に対して、５３度の角度に傾斜されたものである。本発明の美容機においては、振動部材の側部の傾斜角度は、本発明の主旨の範囲内において適宜変更することができる。
【００３１】
また、図１２に示される美容機１０ｂは、振動部材６０ｂの内周面に、コットンなどを係止固定して保持可能な係止突起６３が突設されているものである。液体を浸潤させたコットンが容易には脱落しないようにすることができ、美容機１０ｂの利便性を向上させることができる。係止突起は他の形状でも良く、コットンを保持可能であって、またコットンの脱着に支障のない形状及び材質であれば特に限定されない。例えば、振動部材６０ｂの内周面に、開口部６１に沿って内側に向けてリブ状に周設されるようなものでも良い。また、ゴム等の可撓性の材質によるものを取り付けて利用することもでき、この場合にはコットンの脱着性により優れる。
【００３２】
ついで本発明のさらに別の実施の形態について説明する。図１３に示される美容機１０ｃにおいては、振動部材６０ｃが、全体において先端が先細となるように内側に向けて８７度の角度に傾斜されて形成されたものである。このような振動部材６０ｃによっては、振動部材６０ｃの先端部６５ｃが開口部６１の内側に向けて傾斜しているので、先端部６５ｃ周辺の液体が外部へ漏出するおそれを少なくすることができる。
【００３３】
また、図示は省略するが、振動部材を美容機の本体に対して所定の範囲で揺動可能に取り付けるものとすると、使用時における振動部材の開口部の施術箇所への密着度が高まり、振動部材内部の液体の保持をより確実に行うことができる。具体的には、前述の実施の形態におけるヘッド部４０を、把持部２０に対して一定角度の範囲内で揺動可能とする超音波発生部固定手段とするように構成することで実現可能である。超音波発生部固定手段の例としては、ゴムなどの可撓性材料を介在させることなどが考えられる。以上のように、本発明の美容機は、上記した実施の形態の構成に限られるものではなく、既に記載した変更例の他にも本発明の主旨の範囲内で種々の変更が可能である。
【００３４】
ついで、図１４から図１６を参照して、本発明のさらに別の実施の形態について説明する。図１４及び図１５に示されるように、この美容機１０ｄは、前述した充電タイプの美容機とは異なり、図示しない操作装置とケーブル１８により接続されるタイプの超音波皮膚洗浄美容機である。この美容機１０ｄにおいては、操作装置において電源操作、モード操作等を行うため、美容機１０ｄ自体には操作用のボタンや表示用のＬＥＤ等は備えられていない。
【００３５】
また、この美容機１０ｄの振動部材６０ｄは、図１６に示されるように、その形状が以下の通りのものとして形成されている。振動部材６０ｄの開口部６１ｄ及び底部６４ｄはそれぞれ正面視真円形状に形成されており、開口部６１ｄの直径は３１ｍｍ（内径は３０ｍｍ）に、底部６４ｄ直径は１６ｍｍに設けられている。そして図１６に示されるように、底部６４ｄからは徐々に拡径される拡径部９２が立ち上がるようにして連設され、さらにこの拡径部９２の先端からは開口部６１ｄに向かって内径が同一な円筒部９３が延設されている。本例では、底部６４からの拡径部９２の角度は３９．８度とされている。このように、本美容機１０ｄの振動部材６０ｄは、前述した美容機１０等とは異なり、底部６４ｄから開口部６１ｄにかけて、お椀状に、断面が円弧状となるように緩やかな湾曲面が形成されているものではなく、拡径部９２と円筒部９３との連設部において所定の角度で屈曲されて形成されている。
【００３６】
本美容機１０ｄにおいては、連設部において屈曲される拡径部９２及び円筒部９３を備えた形状とすることにより、使用時において、超音波を開口部６１ｄに向けてより効率よく伝達することができる。
【００３７】
なお、本美容機１０ｄは腕などの比較的面積の広い部位に対して施術することを想定した開口部６１ｄの直径としているが、例えば、鼻や鼻周辺の狭い部位に施術をする場合などにおいては、開口部の直径を短くした振動部材とすることが望ましく、例えば開口部の外径を２３ｍｍとすることが良い。
【産業上の利用可能性】
【００３８】
本発明は、超音波を利用した皮膚洗浄美容機に広く利用することができる。
【符号の説明】
【００３９】
１０，１０ａ，１０ｂ，１０ｃ，１０ｄ；超音波皮膚洗浄美容機、１１；電源ボタン、１２；モード操作部、１３；接続口、１４；孔、１５；ねじ孔、１６；ねじ、１７；ＬＥＤ、１８；ケーブル、２０；把持部、４０；ヘッド部、４２；開口部、５０；超音波ユニット、６０，６０ａ，６０ｂ，６０ｃ，６０ｄ；振動部材、６１，６１ｄ；開口部、６２，６２ａ；側部、６３；係止突起、６４，６４ｄ；底部、６５，６５ｃ；先端部、７０；ハウジング、７１；ねじ孔、７２；シリコン、７３；固定用スリーブ、７４；係止部、７５；端部、７６；カバー、７７；凹部、７８；底部、８０；基盤、９０；超音波振動子、Ｘ；気泡。
【図１】
2016214424.tif 000003
【図２】
2016214424.tif 000004
【図３】
2016214424.tif 000005
【図４】
2016214424.tif 000006
【図５】
2016214424.tif 000007
【図６】
2016214424.tif 000008
【図７】
2016214424.tif 000009
【図８】
2016214424.tif 000010
【図９】
2016214424.tif 000011
【図１４】
2016214424.tif 000012
【図１５】
2016214424.tif 000013
【図１０】
2016214424.tif 000014
【図１１】
2016214424.tif 000015
【図１２】
2016214424.tif 000016
【図１３】
2016214424.tif 000017
【図１６】
2016214424.tif 000018